(57)【要約】【課題】撮像時において、良好に音声記録を行うことができる撮像装置を提供すること。【解決手段】被写体を撮像して画像信号を生成する撮像手段１１０と、音声を集音可能な端末機へ集音処理の開始信号を送信する送信手段１７３と、前記端末機で集音された音声に基づく音声信号を入力する入力手段１７４と、を備えたことを特徴とする撮像装置。【選択図】  図１
2010245614.tif 000002
【特許請求の範囲】
【請求項１】
被写体を撮像して画像信号を生成する撮像手段と、
音声を集音可能な端末機へ集音処理の開始信号を送信する送信手段と、
前記端末機で集音された音声に基づく音声信号を入力する入力手段と、を備えたことを特徴とする撮像装置。
【請求項２】
請求項１に記載の撮像装置において、
前記画像信号と前記音声信号との関連付け処理を行う信号処理手段を備えたことを特徴とする撮像装置。
【請求項３】
請求項２に記載の撮像装置において、
前記信号処理手段により関連付けられた画像信号と音声信号とを記録する記録手段を備えたことを特徴とする撮像装置。
【請求項４】
請求項１〜３のいずれか一項に記載の撮像装置において、
前記送信手段は、前記端末機へ前記集音処理の終了信号を送信することを特徴とする撮像装置。
【請求項５】
請求項１〜４のいずれか一項に記載の撮像装置において、
前記送信手段は、前記端末機へ前記集音処理の条件を設定する信号を送信することを特徴とする撮像装置。
【請求項６】
請求項４又は５に記載の撮像装置において、
前記入力手段は、前記終了信号を送信したのち、前記開始信号を送信してから前記終了信号を送信するまでの間に前記端末機により集音された音声に基づく音声信号を前記端末機から入力することを特徴とする撮像装置。
【請求項７】
請求項１〜６のいずれか一項に記載の撮像装置において、
前記入力手段は、無線通信により前記端末機により集音された音声に基づく音声信号を入力することを特徴とする撮像装置。
【請求項８】
請求項１〜６のいずれか一項に記載の撮像装置において、
前記入力手段は、電気通信回線網により前記端末機により集音された音声に基づく音声信号を入力することを特徴とする撮像装置。
【請求項９】
請求項１〜８のいずれか一項に記載の撮像装置において、
レンズ鏡筒がボディ本体に対して着脱可能に設けられていることを特徴とする撮像装置。
【発明の詳細な説明】
【技術分野】
【０００１】
この発明は、撮像装置に関するものである。
【背景技術】
【０００２】
従来より、交換レンズを備えた撮像装置において、動画像を撮影可能な撮像装置が知られている（例えば、特許文献１参照）。なお、このような撮像装置には、一般的に、動画像撮影中の音声を集音するための集音マイクが撮像装置本体に設けられている。
【先行技術文献】
【特許文献】
【０００３】
【特許文献１】特開２００８−５３８４３号公報
【発明の概要】
【発明が解決しようとする課題】
【０００４】
しかしながら、交換レンズを備えた撮像装置においては、動画像の撮影時には、ズームレンズの駆動音や、フォーカスレンズの駆動音、クイックリターンミラーの動作音などの様々な動作音が発生するため、上述の従来技術においては、このような動作音が、撮像装置に備えられた集音マイクにノイズとして録音されてしまうという問題があった。
【０００５】
この発明が解決しようとする課題は、撮像時において、良好に音声記録を行うことができる撮像装置を提供することである。
【課題を解決するための手段】
【０００６】
この発明は、以下の解決手段によって上記課題を解決する。なお、発明の実施形態を示す図面に対応する符号を付して説明するが、この符号は発明の理解を容易にするためだけのものであって発明を限定する趣旨ではない。
【０００７】
[１]発明に係る撮像装置は、被写体を撮像して画像信号を生成する撮像手段（１１０）と、音声を集音可能な端末機へ集音処理の開始信号を送信する送信手段（１７３）と、前記端末機で集音された音声に基づく音声信号を入力する入力手段（１７４）と、を備えたことを特徴とする。
【０００８】
[２]上記撮像装置に係る発明において、前記画像信号と前記音声信号との関連付け処理を行う信号処理手段（１７５）を備えるように構成することができる。
【０００９】
[３]上記撮像装置に係る発明において、前記信号処理手段（１７５）により関連付けられた画像信号と音声信号とを記録する記録手段（１８０）を備えるように構成することができる。
【００１０】
[４]上記撮像装置に係る発明において、前記送信手段（１７３）が、前記端末機へ前記集音処理の終了信号を送信するように構成することができる。
【００１１】
[５]上記撮像装置に係る発明において、前記送信手段（１７３）が、前記端末機へ前記集音処理の条件を設定する信号を送信するように構成することができる。
【００１２】
[６]上記撮像装置に係る発明において、前記入力手段（１７４）が、前記終了信号を送信したのち、前記開始信号を送信してから前記終了信号を送信するまでの間に前記端末機により集音された音声に基づく音声信号を前記端末機から入力するように構成することができる。
【００１３】
[７]上記撮像装置に係る発明において、前記入力手段（１７４）が、無線通信により前記端末機により集音された音声に基づく音声信号を入力するように構成することができる。
【００１４】
[８]上記撮像装置に係る発明において、前記入力手段（１７４）が、電気通信回線網により前記端末機により集音された音声に基づく音声信号を入力するように構成することができる。
【００１５】
[９]上記撮像装置に係る発明において、レンズ鏡筒（２００）がボディ本体（１００）に対して着脱可能に設けられているように構成することができる。
【発明の効果】
【００１６】
この発明によれば、撮像時において、良好に音声記録を行うことができる撮像装置を提供することができる。
【図面の簡単な説明】
【００１７】
【図１】図１は、本実施形態に係るデジタルカメラの構成を示すブロック図である。
【図２】図２は、カメラ制御部１７０の構成を示すブロック図である。
【図３】図３は、本実施形態に係るカメラ１の動画撮影モードにおける動作を示すフローチャートである。
【発明を実施するための形態】
【００１８】
以下、本発明の実施形態を図面に基づいて説明する。図１は、本実施形態に係るデジタルカメラ１の構成を示すブロック図であり、上記発明の撮像装置に関する構成以外のカメラの一般的構成については、その図示と説明を一部省略する。
【００１９】
本実施形態のカメラ１は、カメラボディ１００とレンズ鏡筒２００とを備え、これらカメラボディ１００とレンズ鏡筒２００はマウント部３００により着脱可能に結合されている。本例のカメラ１においては、レンズ鏡筒２００は、撮影目的などに応じて、交換可能となっている。
【００２０】
レンズ鏡筒２００には、撮影レンズ２１０や絞り装置２２０などからなる撮影光学系が内蔵されている。
【００２１】
撮影レンズ２１０は、複数のレンズから構成されるレンズ群からなり、焦点調節を行うためのフォーカスレンズや、撮影倍率を調整するためのズームレンズなどを含んでなり、これら各レンズは、レンズ制御部２３０からの駆動信号に基づいて、各レンズを駆動するための駆動モータが駆動することで、光軸Ｌ１方向に移動するような構成となっている。また、各レンズの移動は、レンズ鏡筒２００に備えられたフォーカス環およびズーム環を回転操作されることによっても行われる。
【００２２】
絞り装置２２０は、上記撮影光学系を通過して撮像素子１１０に至る光束の光量を制限するために、光軸Ｌ１を中心にした開口径が調節可能に構成されている。絞り装置２２０による開口径の調節は、たとえば自動露出モードにおいて演算された絞り値に応じた信号が、カメラ制御部１７０からレンズ制御部２３０を介して絞り駆動部へ送信されることにより行われる。また、開口径の調節は、カメラボディ１００に設けられた操作部１５０によるマニュアル操作により、設定された絞り値に応じた信号がカメラ制御部１７０からレンズ制御部２３０を介して絞り駆動部へ送信されることによっても行われる。
【００２３】
レンズ鏡筒２００にはレンズ制御部２３０が設けられている。レンズ制御部２３０はマイクロプロセッサとメモリなどの周辺部品から構成され、カメラ制御部１７０と電気的に接続され、このカメラ制御部１７０から撮影倍率やデフォーカス量、絞り制御信号などの情報を受信するとともに、カメラ制御部１７０へ、撮影レンズ２１０を構成する各レンズのレンズ位置や絞り値などのレンズ情報を送信する。
【００２４】
一方、カメラボディ１００は、被写体からの光束を撮像素子１１０、ファインダ１３５、測光センサ１３７および焦点検出モジュール１６０へ導くためのミラー系１２０を備える。このミラー系１２０は、回転軸１２３を中心にして被写体の観察位置と撮影位置との間で所定角度だけ回転するクイックリターンミラー１２１と、このクイックリターンミラー１２１に軸支されてクイックリターンミラー１２１の回転に合わせて回転するサブミラー１２２とを備える。
【００２５】
図１においては、ミラー系１２０が被写体の観察位置にある状態を実線で示し、被写体の撮影位置にある状態を二点鎖線で示す。ミラー系１２０は、被写体の観察位置にある状態では光軸Ｌ１の光路上に挿入される一方で、被写体の撮影位置にある状態では光軸Ｌ１の光路から退避するように回転する。
【００２６】
クイックリターンミラー１２１はハーフミラーで構成され、被写体の観察位置にある状態では、被写体からの光束（光軸Ｌ１）の一部の光束（光軸Ｌ２，Ｌ３）を当該クイックリターンミラー１２１で反射してファインダ１３５および測光センサ１３７へ導き、一部の光束（光軸Ｌ４）を透過させてサブミラー１２２へ導く。これに対して、サブミラー１２２は全反射ミラーで構成され、クイックリターンミラー１２１を透過した光束（光軸Ｌ４）を焦点検出モジュール１６０へ導く。
【００２７】
したがって、ミラー系１２０が観察位置にある場合は、被写体からの光束（光軸Ｌ１）はファインダ１３５、測光センサ１３５および焦点検出モジュール１６０へ導かれ、撮影者により被写体の観察が行われるとともに、露出演算や撮影レンズ２１０の焦点調節状態の検出が実行される。そして、撮影者がレリーズボタンを全押しするとミラー系１２０が撮影位置に回転し、被写体からの光束（光軸Ｌ１）は撮像素子１１０へ導かれ、撮影した画像データをメモリ１８０に保存する。
【００２８】
撮像素子１１０は、カメラボディ１００の、被写体からの光束の光軸Ｌ１上であって、撮影レンズ２１０の予定焦点面となる位置に設けられている。撮像素子１１０は、複数の光電変換素子が二次元に配列されたものであって、二次元ＣＣＤイメージセンサ、ＭＯＳセンサまたはＣＩＤなどで構成することができる。この撮像素子１１０で光電変換された電気画像信号は、カメラ制御部１７０で画像処理されたのちメモリ１８０に保存される。なお、撮影画像を格納するメモリ１８０は内蔵型メモリやカード型メモリなどで構成することができる。
【００２９】
一方、クイックリターンミラー１２１で反射された被写体光からの光束は、撮像素子１１０と光学的に等価な面に配置された焦点板１３１に結像し、ペンタプリズム１３３と接眼レンズ１３４とを介して撮影者により観察可能となっている。このとき、透過型液晶表示器１３２は、焦点板１３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダ１３５を通して被写体およびその背景ならびに撮影関連情報などを観察することができる。
【００３０】
測光センサ１３７は、二次元カラーＣＣＤイメージセンサなどで構成され、撮影の際の露出値を演算するため、撮影画面を複数の領域に分割して領域ごとの輝度に応じた測光信号を出力する。測光センサ１３７で検出された画像情報はカメラ制御部１７０へ出力され、自動露出制御に用いられる。
【００３１】
焦点検出モジュール１６０は、サブミラー１２２で反射した光束の光軸Ｌ４上であって、撮像素子１１０の撮像面と光学的に等価な面の位置に固定されており、被写体光を用いた位相差検出方式により、撮影光学系のデフォーカス量ΔＷを算出し、これに基づいてレンズ駆動量Δｄを演算し、これをレンズ制御部１７０へ送信する。そして、レンズ駆動量Δｄが、レンズ制御部１７０からレンズ制御部２３０に送信されることにより、撮影レンズ２１０に含まれるフォーカスレンズの位置が調整される。
【００３２】
操作部１５０は、シャッターレリーズボタンや撮影者がカメラ１の各種動作モードを設定するための入力スイッチであり、静止画撮影モード／動画撮影モードの切換が行えるようになっている。また、これ以外にも、動画撮影モードにおいて、動画撮影中における音声の収集をカメラ１に備えられた集音マイク（不図示）で行うか、あるいは、無線通信部１９０を介して、集音機能を備えた外部端末機により行わせるかの選択や、外部端末機により動画撮影中における音声の収集を行う場合には、音声を集音させるための外部端末機の選択や、外部端末機での集音条件の選択などを行えるようになっている。この操作部１５０により設定された各種モード、および操作信号はカメラ制御部１７０へ送信される。
【００３３】
なお、音声を集音させるための外部端末機の選択方法としては、たとえば、該外部端末機の無線アドレスを直接入力する方法や、予めメモリ１８０に記憶された外部端末機の無線アドレスを読み出して、選択する方法などが挙げられる。また、外部端末機での集音条件としては、音声の記録時の音質の条件や、外部端末機で集音した音声に基づく音声信号の保存先などが挙げられ、具体的な保存先としては、外部端末機で集音した音声に基づく音声信号を、無線通信部１９０を介して、カメラ１にて受信し、カメラ１に備えられたメモリ１８０に保存する方法や、外部端末機に備えられたメモリに保存する方法などが挙げられる。
【００３４】
無線通信部１９０は、カメラ制御部１７０からの指令に基づき、Bluetooth規格（「Bluetooth」は登録商標）を用いた近距離無線通信などにより、無線通信機能を備えた外部端末機と無線通信を行う。具体的には、無線通信部１９０は、カメラ制御部１７０からの指令に基づき、被写体の保有する携帯電話などの無線通信機能および集音機能を備える外部端末機（特に、Bluetooth規格による無線通信機能や、周囲の音声を収集可能な集音マイクおよび集音した音声を音声信号に変換するための変換機能を備える外部端末機）に対して、集音条件信号および集音開始信号を送信することで、動画撮影モードにおいて、外部端末機に動画撮影中の音声の収集を行わせる。また、無線通信部１９０は、カメラ制御部１７０からの指令に基づき、該外部端末機に集音終了信号を送信することで、外部端末機に音声の収集を終了させる。さらに、無線通信部１９０は、外部端末機から動画撮影中に集音された音声に基づく音声信号が送信された場合には、これを受信し、カメラ制御部１７０に送信する。
【００３５】
カメラボディ１００にはカメラ制御部１７０が設けられている。カメラ制御部１７０はマイクロプロセッサとメモリなどの周辺部品から構成され、マウント部３００に設けられた電気信号接点部によりレンズ制御部２３０と電気的に接続され、このレンズ制御部２３０からレンズ情報を受信するとともに、レンズ制御部２３０へ各種制御信号を送信する。また、カメラ制御部１７０は、上述したように撮像素子１１０から画像情報を読み出すとともに、必要に応じて所定の情報処理を施し、メモリ１８０に出力する。さらに、カメラ制御部１７０は、撮影画像情報の補正やレンズ鏡筒２００の焦点調節状態、絞り調節状態などを検出するなど、カメラ１全体の制御を司る。加えて、本実施形態においては、カメラ制御部１７０は、動画撮影モードにおいて、動画撮影中における音声の収集を、無線通信部１９０を介して、集音機能を備えた外部端末機により行わせることが、撮影者により操作部１５０を介して選択されている場合には、該選択に基づいた制御を行う。
【００３６】
図２に、カメラ制御部１７０の構成を示すブロック図を示す。図２に示すように、カメラ制御部１７０は、集音条件設定部１７１、撮影制御部１７２、出力部１７３、入力部１７４、および信号処理部１７５を有する。
【００３７】
集音条件設定部１７１は、動画撮影モードにおいて、動画撮影中における音声の収集を、無線通信部１９０を介して、集音機能を備えた外部端末機により行わせる旨の選択が、撮影者により操作部１５０を介して選択されており、かつ、撮影中における音声を集音するための外部端末機が選択された場合に、これを集音用の外部端末機として設定し、集音用の外部端末機の無線アドレス情報を出力部１７３に送る。また、集音条件設定部１７１は、撮影者により操作部１５０を介して、集音用の外部端末機で集音した音声に基づく音声信号の保存先などの集音条件の選択が行われた場合には、これを集音条件として設定し、設定した集音条件を出力部１７３に送る。
【００３８】
撮影制御部１７２は、動画撮影モードにおいて、撮影者により、動画撮影の開始操作が、操作部１５０を介して行われた場合（たとえば、操作部１５０に備えられたシャッターレリーズボタンが押下げられた場合）には、操作部１５０から動画撮影開始信号を受信することにより、被写体輝度、撮像素子１１０の感度、撮影レンズ２１０の絞り値に基づいて、撮像素子１１０の露光を開始させる。また、撮影制御部１７２は、撮影者により動画撮影の終了操作が、操作部１５０を介して行われた場合（たとえば、動画撮影中に、操作部１５０に備えられたシャッターレリーズボタンが押下げられた場合）には、操作部１５０から動画撮影終了信号を受信することにより、撮像素子１１０の露光を終了させる。そして、撮像素子１１０により撮影された動画の画像信号は、メモリ１８０に格納される。
【００３９】
出力部１７３は、集音条件設定部１７１から受信した集音用の外部端末機の無線アドレス情報、および集音条件の情報に基づき、集音用の外部端末機として設定された外部端末機に、集音用の外部端末機として設定された旨の情報および集音条件の情報を、無線通信部１９０を介して、該外部端末機に送信する。
【００４０】
また、出力部１７３は、撮影者により動画撮影の開始操作が、操作部１５０を介して行われた場合には、操作部１５０から動画撮影開始信号を受信し、これに基づき、無線通信部１９０を介して、集音開始信号を集音用の外部端末機に送信することで、集音用の外部端末機による音声の収集を、カメラ１による動画撮影と同期して行わせる。さらに、出力部１７３は、撮影者により動画撮影の終了操作が、操作部１５０を介して行われた場合にも、操作部１５０から動画撮影終了信号を受信し、これに基づき、無線通信部１９０を介して、集音終了信号を集音用の外部端末機に送信することで、集音用の外部端末機による音声信号の収集を、カメラ１による動画撮影と同時に終了させる。
【００４１】
入力部１７４は、集音用の外部端末機から、カメラ１による動画撮影と同期して集音された音声に基づく音声信号を、無線通信部１９０を介して、取得した音声信号を、信号処理部１７５に送る。
【００４２】
信号処理部１７５は、入力部１７４から集音用の外部端末機にて集音された音声に基づく音声信号を受信し、該音声信号と同期して撮影された動画の画像信号をメモリ１８０から読み出して、該音声信号と、これと同期して撮影された動画の画像信号とを合成するための処理を行う。そして、得られた処理後の合成画像信号は、メモリ１８０に格納される。
【００４３】
次に、本実施形態に係るカメラ１の動作例を説明する。以下においては、図３に示すフローチャートに基づいて、撮影者により操作部１５０を介して動画撮影モードが選択されている場合における処理について説明する。ここで、図３は、本実施形態に係るカメラ１の動画撮影モードにおける動作を示すフローチャートである。なお、以下の動作は、カメラボディ１００に備えられたカメラ制御部１７０により行われる。
【００４４】
まず、ステップＳ１においては、撮影者により、操作部１５０を介して、動画撮影時における音声の収集を外部端末機で行う旨の選択がされているか否かの判断が行われる。音声の収集を外部端末機で行う旨の選択がされている場合には、ステップＳ２に進む。一方、音声の収集をカメラ１００に備えられた集音マイクにて行う旨の選択がされている場合には、ステップＳ１５に進む。
【００４５】
ステップＳ２では、撮影者により、操作部１５０を介して、動画撮影時における音声の収集を行うための集音用の外部端末機の選択、および外部端末機で集音した音セに基づく音声信号の保存先などの集音条件の選択がされたか否かの判断が行われる。これらの選択が行われた場合には、ステップＳ３に進む。一方、それ以外の場合には、ステップＳ４に進み、撮影者により、操作部１５０を介して、動画撮影モードの終了操作が行われた場合以外は、ステップＳ２に戻り、動画撮影モードの終了操作がされた場合には、図３に示す処理を終了する。
【００４６】
ステップＳ３では、撮影者による操作部１５０の操作に応じて、集音条件設定部１７１により、動画撮影に際して、撮影中における音声を集音するための集音用の外部端末機、および集音用の外部端末機で集音した音声に基づく音声信号の保存先などの集音条件の設定が行われる。そして、集音用の外部端末機の無線アドレス情報、および集音条件の情報が、集音条件設定部１７１から出力部１７３に送られる。
【００４７】
ステップＳ５では、出力部１７３により、集音条件設定部１７１から受信した集音用の外部端末機の無線アドレス情報、および集音条件の情報に基づき、無線アドレスに対応する外部端末機に、無線通信部１９０を介して、集音用の外部端末機として設定された旨の情報および集音条件の情報の送信が行われる。
【００４８】
ステップＳ６では、撮影者により動画撮影の開始操作が、操作部１５０を介して行われたか否かの判断が行われる。動画撮影の開始操作が行われた場合には、ステップＳ７に進む。それ以外の場合には、ステップＳ８に進み、撮影者により、操作部１５０を介して、動画撮影モードの終了操作がされた場合以外は、ステップＳ６に戻り、動画撮影モードの終了操作が行われた場合には、図３に示す処理を終了する。
【００４９】
ステップＳ７では、撮影者による動画撮影の開始操作に基づき、撮影制御部１７２が、操作部１５０から動画撮影開始信号を受信し、これに基づいて、撮像素子１１０を制御し、撮像素子１１０の露光を開始させることにより、動画撮影を開始させる。また、これと同時に、出力部１７３は、操作部１５０から動画撮影開始信号を受信し、これに基づき、無線通信部１９０を介して、集音開始信号を集音用の外部端末機に送信する。そして、撮像素子１１０による動画撮影の開始と同時に、集音用の外部端末機による音声の収集を開始させる。
【００５０】
ステップＳ９では、撮影者により動画撮影の終了操作が、操作部１５０を介して行われたか否かの判断が行われる。動画撮影の終了操作が行われた場合には、ステップＳ１０に進む。それ以外の場合には、ステップＳ９を繰り返し、撮影者により動画撮影の終了操作が行われるまで、撮像素子１１０による動画撮影、および集音用の外部端末機による音声の収集を継続する。
【００５１】
ステップＳ１０では、撮影者による動画撮影の終了操作に基づき、カメラ制御部１７０の撮影制御部１７２が、操作部１５０から動画撮影終了信号を受信し、これに基づいて、撮像素子１１０を制御し、撮像素子１１０の露光を終了させることにより、動画撮影を終了させる。そして、撮影された動画の画像データは、メモリ１８０に格納される。また、これと同時に、カメラ制御部１７０の出力部１７３は、操作部１５０から動画撮影終了信号を受信し、これに基づき、無線通信部１９０を介して、集音終了信号を集音用の外部端末機に送信する。そして、撮像素子１１０による動画撮影の終了と同時に、集音用の外部端末機による音声の収集を終了させる。
【００５２】
ステップＳ１１では、ステップＳ２にて設定された集音条件のうち、外部端末機で収集した音声に基づく音声信号の保存先が、カメラ１に備えられたメモリ１８０であるか否かの判断が行われる。保存先がカメラ１に備えられたメモリ１８０である場合には、ステップＳ１２に進む。一方、集音用の外部端末機に備えられたメモリである場合には、ステップＳ１４に進む。
【００５３】
ステップＳ１２では、集音用の外部端末機に送信された集音条件に基づき、集音用の外部端末機から、無線通信により、無線通信部１９０に、集音された音声に基づく音声信号の送信が行われ、送信された音声信号が入力部１７４に入力され、入力部１７４に入力された音声信号は信号処理部１７５に送信される。そして、ステップＳ１３にて、信号処理部１７５により、入力部１７４から受信した音声信号と同期して撮影された動画の画像信号の読み出しが行われ、該音声信号と、これと同期して撮影された動画の画像信号とを合成するための処理が行われる。そして、得られた処理後の合成画像信号が、メモリ１８０に格納され、図３に示す処理が終了する。
【００５４】
一方、集音用の外部端末機に送信された集音条件中の集音された音声に基づく音声信号の保存先が、集音用の外部端末機に備えられたメモリである場合には、ステップＳ１４に進み、集音用の外部端末機にて集音された音声に基づく音声信号は、集音用の外部端末機に備えられたメモリ１８０に格納され、図３に示す処理が終了する。
【００５５】
なお、この場合においては、集音用の外部端末機のメモリに保存した音声信号は、インターネット回線網や電子メールなどを介して、外部サーバーに送信することで、外部サーバーに保存するような構成とすることが望ましい。集音用の外部端末機のメモリに保存した音声信号を、外部サーバーに保存するような構成とすることにより、外部端末機のメモリの消費の低減が可能となる。そして、外部サーバーに保存された音声信号は、たとえば、外部パソコンなどを用いて、これと同期して撮影された動画の画像信号と合成することができる。あるいは、外部サーバーに保存された音声信号は、外部パソコンなどを介して、カメラ１に送られることにより、カメラ制御部１７０の信号処理部１７５により、これと同期して撮影された動画の画像信号と合成することができる。
【００５６】
また、ステップＳ１において、撮影者により、操作部１５０を介して、音声の収集をカメラ１００に備えられた集音マイクにて行う旨の選択がされている場合には、ステップＳ１５に進み、動画撮影中の音声の収集を、カメラ１００に備えられた集音マイクにて行う以外は、上述のステップＳ６〜Ｓ１０と同様にして、動画の撮影が行われることとなる。
【００５７】
以上のようにして、本実施形態のカメラ１は動作する。
【００５８】
本実施形態によれば、動画撮影時における音声の収集を、被写体の保有する携帯電話などの無線通信機能および集音機能を備える外部端末機により、動画撮影と同期して行われる。そのため、動画撮影中における、カメラ１の動作（たとえば、撮影レンズ２１０を構成するズームレンズやフォーカスレンズの駆動音、ミラー系１２０の動作音など）に基づく各種動作音が、ノイズ音として混入されてしまうことを有効に防止することができ、これにより良好に音声記録を行うことができる。
【００５９】
加えて、本実施形態によれば、被写体の保有する携帯電話などの無線通信機能および集音機能を備える外部端末機により、音声記録を行うことにより、被写体付近の音声を適切に集音することができ、これにより被写体付近の臨場感が伝わる動画を撮影することが可能となる。
【００６０】
さらに、本実施形態によれば、被写体の保有する携帯電話などの無線通信機能および集音機能を備える外部端末機により、音声記録を行い、これを外部端末機に備えられたメモリに保存することにより、カメラ１のメモリ１８０のメモリ容量の消費を低減することが可能となる。
【００６１】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６２】
たとえば、上述した実施形態では、外部端末機で集音した音声に基づく音声信号の保存先が、カメラ１に備えられたメモリ１８０である場合に、集音用の外部端末機により集音した音声に基づく音声情報を、無線通信により送信する方法を例示したが、撮影者による選択に応じて、インターネット回線網を通じて、カメラ１に送信されるような構成としてもよい。
【００６３】
また、上述した実施形態では、外部端末機で集音した音声に基づく音声信号の保存先が、カメラ１に備えられたメモリ１８０である場合に、動画撮影および集音用の外部端末機により集音を終了した後に、集音用の外部端末機により集音した音声に基づく音声情報を一括して、カメラ１に送信するような構成を例示したが、動画撮影および集音用の外部端末機により集音を行っている際に、適時音声情報を送信するような構成としてもよい。
【００６４】
さらに、上述した実施形態において、動画撮影中における音声の収集を、外部端末機およびカメラ１に備えられた集音マイクの両方で行うような構成や、複数の外部端末機を用いて、動画撮影中における音声の収集を行うような構成とすることも可能である。
【符号の説明】
【００６５】
１…一眼レフデジタルカメラ
１００…カメラボディ
１１０…撮像素子
１５０…操作部
１７０…カメラ制御部
１７１…集音条件設定部
１７２…撮影制御部
１７３…出力部
１７４…入力部
１７５…信号処理部
１８０…メモリ
１９０…無線通信部
２００…レンズ鏡筒
２１０…撮影レンズ
【図１】
2010245614.tif 000003
【図２】
2010245614.tif 000004
【図３】
2010245614.tif 000005